(57)【要約】【課題】製造コストの増大を抑制し、かつ、信頼性を維持しながら、騒音の低減を図ることが可能なディスク装置を提供する。【解決手段】ディスク装置の筐体１１は、上面が開口した矩形状のベース１０、およびベースにねじ止めされた矩形板状のカバー１５を有している。カバーは、４つの角部、各長辺側の側縁中央部に設けられカバーとベースとを締結したねじがそれぞれ挿通された複数のねじ止め用の第１透孔４０と、ヘッドアクチュエータ１４の枢軸２３に対向して設けられカバーを枢軸に締結したねじが挿通されたねじ止め用の第２透孔４４と、を有している。カバーは、第２透孔の中心と、第１透孔の内、第２透孔に最も距離の近い２つの第１透孔の中心とを頂点とする三角形の領域Ｂであって、駆動部と対向する領域において、三角形の重心Ｃを含んだ位置に形成された透孔５０を備えている。【選択図】  図１
2006331545.tif 000002
【特許請求の範囲】
【請求項１】
上面が開口した矩形状のベース、および前記ベースにねじ止めされ前記上面の開口を閉じた矩形板状のカバーを有した筐体と、
前記筐体内に設けられた磁気ディスクと、
前記ベースに取り付けられ前記磁気ディスクを支持および回転するスピンドルモータと、
上記磁気ディスクに対して情報の記録再生を行うヘッドと、
前記磁気ディスクに対して前記ヘッドを移動させるヘッドアクチュエータと、を備え、
前記ヘッドアクチュエータは、前記ベースおよびカバーに固定された枢軸を有する軸受部と、前記軸受部から延出しているとともに前記ヘッドを支持したアームと、前記軸受部に対して前記アームと反対側に設けられ前記アームを回動させる駆動部と、を具備し、
前記カバーは、４つの角部、各長辺側の側縁中央部に設けられ前記カバーとベースとを締結したねじがそれぞれ挿通された複数のねじ止め用の第１透孔と、前記枢軸に対向して設けられ前記カバーを枢軸に締結したねじが挿通されたねじ止め用の第２透孔と、を有し、
前記カバーは、前記第２透孔の中心と、前記第１透孔の内、前記第２透孔に最も距離の近い２つの第１透孔の中心とを頂点とする三角形の領域であって、前記駆動部と対向する領域において、前記三角形の重心を含んだ位置に形成された透孔を備えているディスク装置。
【請求項２】
前記カバーは、前記透孔を覆って閉塞したシールを含んでいる請求項１に記載のディスク装置。
【請求項３】
前記カバーはアルミニウム合金板により形成され、前記磁気ディスクは直径２．５インチに形成されている請求項１又は２に記載のディスク装置。
【請求項４】
上面が開口した矩形状のベース、および前記ベースにねじ止めされ前記上面の開口を閉じた矩形板状のカバーを有した筐体と、
前記筐体内に設けられた磁気ディスクと、
前記ベースに取り付けられ前記磁気ディスクを支持および回転するスピンドルモータと、
上記磁気ディスクに対して情報の記録再生を行うヘッドと、
前記磁気ディスクに対して前記ヘッドを移動させるヘッドアクチュエータと、を備え、
前記ヘッドアクチュエータは、前記ベースおよびカバーに固定された枢軸を有する軸受部と、前記軸受部から延出しているとともに前記ヘッドを支持したアームと、前記軸受部に対して前記アームと反対側に設けられ前記アームを回動させる駆動部と、を具備し、
前記カバーは、４つの角部、各長辺側の側縁中央部に設けられ前記カバーとベースとを締結したねじがそれぞれ挿通された複数のねじ止め用の第１透孔と、前記枢軸に対向して設けられ前記カバーを枢軸に締結したねじが挿通されたねじ止め用の第２透孔と、を有し、
前記カバーは、前記第２透孔の中心と、前記第１透孔の内、前記第２透孔に最も距離の近い２つの第１透孔の中心とを辺に含み、前記カバーの外形と各辺がほぼ平行となる長方形の領域であって、前記駆動部と対向する領域に形成された凹凸部を備えているディスク装置。
【請求項５】
前記凹凸部は、前記カバーの板厚よりも大きな凹凸高さを有している請求項４に記載のディスク装置。
【請求項６】
前記凹凸部は、前記長方形の領域の長辺と平行な方向に沿って延びた複数のリブを含んでいる請求項４又は５に記載のディスク装置。
【請求項７】
前記カバーはアルミニウム合金板により形成され、前記磁気ディスクは直径２．５インチに形成されている請求項４ないし６のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像、音楽の記録再生装置として磁気ディスク装置、光ディスク装置などのディスク装置が広く用いられている。  
例えば、磁気ディスク装置は、一般に、筐体内に配設された磁気ディスク、磁気ディスクを支持および回転駆動するスピンドルモータ、磁気ヘッドを支持したヘッドアクチュエータ、ヘッドアクチュエータを駆動するボイスコイルモータ、回路基板ユニット等を備えている。ヘッドアクチュエータは、ケースに取り付けられた軸受部と、軸受部に積層され軸受部から延出した複数のアームと、を備え、各アームには、サスペンションを介して磁気ヘッドが取り付けられている。
【０００３】
筐体は、複数の機構部が実装されているとともに上面が開口したベースと、ベースの開口を覆ったカバーとで構成されている。通常、カバーは複数のねじによりベースの上面周縁部にねじ止めされている。また、ヘッドアクチュエータの軸受部は枢軸を有し、この枢軸はベースに立設されているとともに、その先端部は、カバーにねじ止めされている。これにより、枢軸は両持ち支持された状態で、筐体内に配設されている。
【０００４】
このような磁気ディスク装置では、スピンドルモータおよび磁気ディスクの回転に伴う振動、磁気ディスクの回転に伴う風乱に起因したヘッドアクチュエータの振動、ヘッドアクチュエータのシーク動作に伴う振動などが発生する。振動発生部となるスピンドルモータ、ヘッドアクチュエータの振動は、ベースおよびヘッドアクチュエータの枢軸等を介して、板状のカバーに伝達される。これにより、カバーが振動し、騒音を発生する。特に、カバーが有する固有振動モード周波数と、カバーに伝達された振動周波数とが近い場合、共振に発展し、スピンドルモータやヘッドアクチュエータの振動振幅が増大する。その結果、騒音も増大してしまう。
【０００５】
近年、磁気ディスク装置は、種々の分野で使用され、騒音の低減が望まれている。そこで、上記のようなカバーの振動を低減するため、筐体のカバーにおいて、ヘッドアクチュエータの枢軸とカバーとを締結するねじが挿通されるねじ孔の外縁部の板厚を薄くする等により、ねじ孔外周部分の剛性をカバーの他の部分の剛性よりも低くした磁気ディスク装置が提案されている（例えば、特許文献１）。ねじ孔外周部分の剛性を低くすることにより、ベースおよび枢軸を介して伝達される振動を減衰し、カバーの振動を低減している。
【特許文献１】特開２００４−５７８３号公報
【発明の開示】
【発明が解決しようとする課題】
【０００６】
しかしながら、特許文献１に開示された磁気ディスク装置において、ヘッドアクチュエータの枢軸は、カバーおよびベースによって支持される両持ち構造を取っている。そのため、カバーのねじ孔外縁部の剛性を低下させると、枢軸を含む位置決め機構の自己振動が増加し、磁気ディスク装置としての信頼性が低下する可能性がある。
【０００７】
この発明は以上の点に鑑みなされたもので、その目的は、製造コストの増大を抑制し、かつ、信頼性を維持しながら、騒音の低減を図ることが可能なディスク装置を提供することにある。
【課題を解決するための手段】
【０００８】
上記目的を達成するため、この発明の態様に係るディスク装置は、上面が開口した矩形状のベース、および前記ベースにねじ止めされ前記上面の開口を閉じた矩形板状のカバーを有した筐体と、前記筐体内に設けられた磁気ディスクと、前記ベースに取り付けられ前記磁気ディスクを支持および回転するスピンドルモータと、上記磁気ディスクに対して情報の記録再生を行うヘッドと、前記磁気ディスクに対して前記ヘッドを移動させるヘッドアクチュエータと、を備え、  
前記ヘッドアクチュエータは、前記ベースおよびカバーに固定された枢軸を有する軸受部と、前記軸受部から延出しているとともに前記ヘッドを支持したアームと、前記軸受部に対して前記アームと反対側に設けられ前記アームを回動させる駆動部と、を具備し、  
前記カバーは、４つの角部、各長辺側の側縁中央部に設けられ前記カバーとベースとを締結したねじがそれぞれ挿通された複数のねじ止め用の第１透孔と、前記枢軸に対向して設けられ前記カバーを枢軸に締結したねじが挿通されたねじ止め用の第２透孔と、を有し、前記カバーは、前記第２透孔の中心と、前記第１透孔の内、前記第２透孔に最も距離の近い２つの第１透孔の中心とを頂点とする三角形の領域であって、前記駆動部と対向する領域において、前記三角形の重心を含んだ位置に形成された透孔を備えている。
【０００９】
この発明の他の態様に係るディスク装置は、上面が開口した矩形状のベース、および前記ベースにねじ止めされ前記上面の開口を閉じた矩形板状のカバーを有した筐体と、前記筐体内に設けられた磁気ディスクと、前記ベースに取り付けられ前記磁気ディスクを支持および回転するスピンドルモータと、上記磁気ディスクに対して情報の記録再生を行うヘッドと、前記磁気ディスクに対して前記ヘッドを移動させるヘッドアクチュエータと、を備え、  
前記ヘッドアクチュエータは、前記ベースおよびカバーに固定された枢軸を有する軸受部と、前記軸受部から延出しているとともに前記ヘッドを支持したアームと、前記軸受部に対して前記アームと反対側に設けられ前記アームを回動させる駆動部と、を具備し、  前記カバーは、４つの角部、各長辺側の側縁中央部に設けられ前記カバーとベースとを締結したねじがそれぞれ挿通された複数のねじ止め用の第１透孔と、前記枢軸に対向して設けられ前記カバーを枢軸に締結したねじが挿通されたねじ止め用の第２透孔と、を有し、前記カバーは、前記第２透孔の中心と、前記第１透孔の内、前記第２透孔に最も距離の近い２つの第１透孔の中心とを辺に含み、前記カバーの外形と各辺がほぼ平行となる長方形の領域であって、前記駆動部と対向する領域に形成された凹凸部を備えている。
【発明の効果】
【００１０】
この発明の態様によれば、信頼性を維持しつつ製造コストの増大を抑制しながら、騒音の低減を図ることが可能なディスク装置を提供することができる。
【発明を実施するための最良の形態】
【００１１】
以下図面を参照しながら、この発明の第１の実施形態に係るハードディスクドライブ（以下ＨＤＤと称する）について詳細に説明する。  
図１に示すように、ＨＤＤは筐体１１を備えている。この筐体１１は、上面の開口した矩形箱状のベース１０と、矩形板状のカバー１５とを備え、カバーは、複数のねじによりベースにねじ止めされ、ベースの上端開口を閉塞する。
【００１２】
ベース１０内には、記録媒体としての磁気ディスク１２、磁気ディスクを支持および回転させるスピンドルモータ１３、磁気ディスクに対して情報の記録、再生を行なう複数の磁気ヘッド、これらの磁気ヘッド３３を磁気ディスク１２に対して移動自在に支持したヘッドアクチュエータ１４、ヘッドアクチュエータを回動および位置決めするボイスコイルモータ（以下ＶＣＭと称する）２２、磁気ヘッドが磁気ディスクの最外周に移動した際、磁気ヘッドを磁気ディスクから離間した位置に保持するランプロード機構１８、ＨＤＤに衝撃等が作用した際、ヘッドクチュエータを退避位置に保持するイナーシャラッチ機構２０、およびプリアンプ等の電子部品が実装されたフレキシブルプリント回路基板ユニット（以下、ＦＰＣユニットと称する）１７が収納されている。
【００１３】
ベース１０の外面には、ＦＰＣユニット１７を介してスピンドルモータ１３、ＶＣＭ２２、および磁気ヘッドの動作を制御する図示しないプリント回路基板がねじ止めされ、ベース１０の底壁と対向して位置している。
【００１４】
磁気ディスク１２は、例えば、直径６５ｍｍ（２．５インチ）に形成され、上面および下面に磁気記録層を有している。磁気ディスク１２は、スピンドルモータ１３の図示しないハブに互いに同軸的に嵌合されているとともにクランプばね２１によりクランプされ、ハブに固定されている。そして、磁気ディスク１２は、駆動部としてのスピンドルモータ１３により所定の速度、例えば、５４００ｒｐｍの速度で回転駆動される。
【００１５】
ヘッドアクチュエータ１４は、ベース１０の底壁上に固定された軸受組立体２４を備えている。軸受部として機能する軸受組立体２４は、ベース１０の底壁に立設された枢軸２３と、枢軸に一対の軸受を介して回転自在に支持された円筒形状のハブ２６と、を有している。ヘッドアクチュエータ１４は、ハブ２６に取り付けられた２本のアーム２７、それぞれのアームから延出した２本のサスペンション３０、サスペンションの延出端に支持された磁気ヘッド３３、および複数のスペーサリングを備えている。
【００１６】
各磁気ヘッド３３は、図示しないほぼ矩形状のスライダとこのスライダに形成された記録再生用のＭＲ（磁気抵抗）ヘッド素子とを有し、サスペンション３０の先端部に形成されたジンバル部に固定されている。各磁気ヘッド３３は、それぞれ図示しない中継フレキシブルプリント回路基板（以下、中継ＦＰＣと称する）を介して後述するメインＦＰＣ４２に電気的に接続されている。中継ＦＰＣは、ヘッドアクチュエータ１４の各アーム２７およびサスペンション３０の表面に貼り付けられ、サスペンションの先端からアームの回動基端に亘って延びている。中継ＦＰＣは、全体として細長い帯状に形成され、その先端は磁気ヘッド３３に電気的に接続されているとともに、その基端部はメインＦＰＣ４２に電気的に接続されている。これにより、各磁気ヘッド３３は、中継ＦＰＣおよびメインＦＰＣ４２を介してＦＰＣユニット１７に電気的に接続されている。
【００１７】
ハブ２６の外周に嵌合されたアーム２７は所定の間隔を置いて互いに平行に位置し、これらのアームに取り付けられたサスペンション３０および磁気ヘッド３３は互いに向かい合って位置している。ＶＣＭ２２は、ハブ２６からアーム２７と反対方向に延出した図示しない支持フレーム、および支持フレームに支持されたボイスコイルを有している。ヘッドアクチュエータ１４をベース１０に組み込んだ状態において、ボイスコイルは、ベース１０上に固定された一対のヨーク３８間に位置し、これらのヨークおよび一方のヨークに固定された図示しない磁石とともにＶＣＭ２２を構成している。そして、ボイスコイルに通電することにより、ヘッドアクチュエータ１４が回動し、磁気ヘッド３３は磁気ディスク１２の所望のトラック上に移動および位置決めされる。
【００１８】
一方、矩形板状のカバー１５は、例えば、板厚０．４ｍｍ程度のアルミニウム合金板をプレス成形することにより形成されている。カバー１５の４つのコーナ部、および一対の長辺側の側縁のほぼ中央には、それぞれ第１透孔４０が形成されている。カバー１５は、各第１透孔４０に挿通されたねじ１６をベース１０の周縁部に形成されたねじ孔にねじ込むことによりベースに締結され、ベースの上端開口を閉塞している。カバー１５は、磁気ディスク１２と所定の隙間をおいてほぼ平行に対向している。
【００１９】
カバー１５において、軸受組立体２４の枢軸２３と対向する位置には、第２透孔４４が形成されている。第２透孔４４に挿通された固定ねじ４３を枢軸２３の上端部にねじ込むことにより、カバー１５の一部と枢軸とが締結されている。従って、枢軸２３は、筐体１１のベース１０およびカバー１５により両端部が支持されている。このように、カバー１５は、周縁部に位置した６つのねじ止め用の第１透孔４０、および枢軸２３上に位置したねじ止め用の第２透孔４４を有している。
【００２０】
上記のように構成されたＨＤＤを５４００ｒｐｍでアイドル回転した状態において、カバー１５の表面から垂直方向に３００ｍｍ離れた位置で測定した音圧レベルの周波数分析結果を図５に示す。図５において、破線Ｒ２は、カバー１５に後述する透孔５０が設けられていないＨＤＤの周波数分析結果を示している。この図から、３２４０Ｈｚにおいて離散的なピークが卓越することが分かる。このピークはスピンドルモータ１３の電磁音に起因するものであり、スピンドルモータの構成条件、すなわちステータのスロット数とロータの極数により卓越する周波数が決定される。一般に、５４００ｒｐｍの回転速度で磁気ディスクが駆動される２．５インチのＨＤＤにおいて、回転数（９０Ｈｚ）の３６倍となる成分の電磁音が卓越する。このスピンドルモータ１３に起因した電磁音は、人間にとって耳障りな音として注目されてきている。そこで、本実施形態では、この離散周波数音の低減を図る構成としている。
【００２１】
図２は、５４００ｒｐｍでアイドル回転状態にある２．５インチＨＤＤにおいて、カバー１５表面における３２４０Ｈｚでの音圧マッピング結果を示している。音圧マッピングとは、ＨＤＤ近傍の音圧レベルを、ある基準信号に対する位相情報とともに、二次元平面上にて格子状に測定し、得られた音圧レベルを位相情報をもとにプロットしたもので、音源を探索する有効な手法である。図２において、薄い色で示されたほぼ円形領域の中心部に位置したやや濃い領域Ａ１が音圧が大きいことを示し、本結果から、３２４０Ｈｚにおいて、ＶＣＭ２２の直上領域Ａ１がカバー１５表面の音源となる領域であることが特定できる。
【００２２】
図３は、有限要素法を用いたシミュレーション結果であり、本実施形態に係るＨＤＤにおいて、カバー１５の３２４０Ｈｚ近傍における振動モードを示している。ＶＣＭ２２の直上領域Ａ２におけるカバー１５の振幅が大きくなる振動モードの存在が確認され、図２に示した音源の領域Ａ１と、同モードの振幅が大きい領域Ａ２とがほぼ一致する。すなわち、図２に示す３６次離散周波数音がカバー１５の共振により増幅されているものと考えられる。
【００２３】
カバー１５の振動モードは、カバー自体の形状よりも、カバー１５とベース１０とを結合するねじ止め位置、カバー材料、およびカバー板厚に大きく影響される。ＨＤＤの筐体１１の外径寸法が高さ９．５ｍｍ×幅７０ｍｍ×奥行１００ｍｍ、筐体内に直径２．５インチの磁気ディスク１２が収納されたＨＤＤにおいて、カバー締結用のねじ止め位置は、スペースの関係上、同一仕様の他のＨＤＤとほぼ同じ位置となる。一般に、２．５インチＨＤＤのカバー１５はアルミニウム合金板をプレス加工することによって形成され、軽量化やコスト低減のためにその厚さをできるだけ薄くする必要がある。図２に示した音圧マッピング測定および図３に示したシミュレーション結果の測定に用いたカバー１５の板厚は０．４ｍｍである。すなわち、アルミニウム合金により形成されたカバー１５を有する２．５インチＨＤＤでは、３２４０Ｈｚ近傍に図３に示した振動モードが存在するものと考えられる。
【００２４】
図４には、本実施形態に係るＨＤＤのカバー１５が示されている。カバー１５において、枢軸２３を介してベース１０に連結される第２透孔４４の中心と、６つの第１透孔４０の内、第２透孔４４に最も隣接した２つの第１透孔４０の中心とを頂点とする三角形の領域Ｂに、この三角形の重心Ｃを含むように矩形の透孔５０が形成されている。領域Ｂの重心Ｃは、図３で示した振動モードの振幅の最も大きくなる領域Ａ２とほぼ一致する。そのため、この位置でカバー１５に透孔５０を形成し、振動体の質量を小さくすることにより、共振周波数を高める効果が得られる。従って、カバー１５の３６次離散周波数音との共振を回避することが可能となり、離散周波数音のピーク値も低下する。
【００２５】
透孔５０の大きさは、共振周波数をどの程度シフトさせるかによって決められる。すなわち、透孔５０を大きくする程、領域Ｂにおけるカバー１５の質量が減少し、共振周波数が高くなる。透孔５０として、重心Ｃを含むように１０ｍｍ×１０ｍｍの角孔がカバー１５に開けられたＨＤＤにおける音圧レベルの周波数を測定した。その分析結果を図５に実線Ｒ１で示す。なお、筐体１１内への塵埃などの粒子の侵入を防ぐように、カバー１５の透孔５０は、シール５２により閉じられている。図５に示すように、カバー１５に透孔５０が形成されていないＨＤＤに比較して、本実施形態に係るＨＤＤでは、全体の騒音レベルの増加を最小限に抑えながら、３２４０Ｈｚのピーク値が約５．６ｄｂ低減する結果が得られた。
【００２６】
以上のように、本実施形態に係るＨＤＤによれば、筐体１１のカバー１５は、軸受部の枢軸２３とカバー１５とをねじ止めする固定ねじ４３が挿通された第２透孔４４の中心と、カバー１５とベース１０とをねじ止めするねじ１６が挿通された第１透孔４０の内、第２透孔４４に最も距離も近い２つの第１透孔４０の中心とを頂点とした三角形の領域Ｂをカバー１５の同一面内上に規定した際、その三角形の領域Ｂの重心Ｃを含む位置に形成された透孔５０を備えている。そのため、カバー１５が有する３２４０Ｈｚ近傍の共振周波数を高め、人間にとって耳障りな３２４０Ｈｚ近傍の離散周波数音を低減することができる。また、透孔５０は、軸受部の枢軸２３の支持部から離れて設けられているため、支持部の剛性低下を防止し、枢軸２３を含む位置決め部の自己振動を抑制することができる。従って、簡単な構成で、製造コストを増大することなく、騒音を低減し、かつ、信頼性に優れたＨＤＤが得られる。
【００２７】
次に、この発明の第２の実施形態に係るＨＤＤについて説明する。図６には、ＨＤＤのカバー１５が示され、図７には、カバーの断面が示されている。矩形板状のカバー１５は、例えば、板厚０．４ｍｍ程度のアルミニウム合金板をプレス成形することにより形成されている。カバー１５の４つのコーナ部、および一対の長辺側の側縁のほぼ中央には、それぞれ第１透孔４０が形成されている。カバー１５は、各第１透孔４０に挿通されたねじを筐体のベースの周縁部に形成されたねじ孔にねじ込むことにより、ベースに締結され、ベースの上端開口を閉塞する。
【００２８】
カバー１５において、前述した軸受組立体の枢軸と対向する位置には、第２透孔４４が形成されている。そして、第２透孔４４に挿通された固定ねじを枢軸２３の上端部にねじ込むことにより、カバー１５の一部と枢軸とが連結される。カバー１５は、周縁部に位置した６つのねじ止め用の第１透孔４０、および枢軸２３上に位置したねじ止め用の第２透孔４４を有している。
【００２９】
また、カバー１５において、枢軸を介してベースに連結される第２透孔４４の中心と、６つの第１透孔４０の内、第２透孔４４に最も隣接した２つの第１透孔４０の中心とを辺に含み、カバー１５の外径と各辺が平行となる長方形の領域Ｄを規定し、この領域Ｄ内に、カバーの板厚ｔ以上の高さｄを有した凹凸部５４がプレス成形により形成されている。凹凸部５４は、それぞれ領域Ｄの長辺と平行な方向に沿って延びた複数の矩形状のリブ５４ａを含んでいる。
【００３０】
図３で示した振動モードの振幅が大きくなる領域Ａ２に対応する領域Ｄ、ここでは、ＶＣＭ２２の直上領域、に凹凸部５４を設けることにより、カバー１５の剛性が高まり、カバー１５が有する３２４０Ｈｚ近傍の共振周波数を高くすることができる。これにより、人間にとって耳障りな３２４０Ｈｚ近傍の離散周波数音を低減する。また、凹凸部５４はプレス成形によりカバー１５と一体に成形することができ、簡単な構成で、製造コストを増大することなく、騒音低減を図ることができる。  
なお、第２の実施形態において、ＨＤＤの他の構成は前述した第１の実施形態と同一であり、同一の部分には同一の参照符号を付してその詳細な説明を省略した。
【００３１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、カバーに設けた透孔あるいは凹凸部の形状は上述した実施形態に限定されることなく、種々変更可能である。カバーの振動モードの振幅が大きくなる領域において、その質量を下げることにより、あるいは剛性を上げることにより、共振周波数を高くすることができる。そのため、カバーの振動モードの振幅が大きくなる領域に、前記透孔と凹凸部との両方を組み合わせて形成してもよい。
【図面の簡単な説明】
【００３２】
【図１】図１は、この発明の第１の実施形態に係るＨＤＤを示す分解斜視図。
【図２】図２は、前記ＨＤＤのカバー１５表面における３２４０Ｈｚでの音圧マッピング結果を示す画像
【図３】図３は、前記ＨＤＤのカバーの３２４０Ｈｚ近傍における振動モードを示す画像。
【図４】図４は、前記ＨＤＤのカバーを示す斜視図。
【図５】図５は、前記カバーの表面から垂直方向に３００ｍｍ離れた位置で測定した音圧レベルの周波数分析結果を示す図。
【図６】図６は、この発明の第２の実施形態に係るＨＤＤのカバーを示す斜視図。
【図７】図７は、図６の線Ｅ−Ｅに沿った前記カバーの断面図。
【符号の説明】
【００３３】
１０…ベース、  １１…筐体、  １２…磁気ディスク、
１３…スピンドルモータ、  １４…ヘッドアクチュエータ、  １５…カバー、
２２…ＶＣＭ、  ２３…枢軸、  ２４…軸受組立体、  ２７…アーム、
３０…サスペンション、  ３３…磁気ヘッド、  ４０…第１透孔、
４４…第２透孔、  ５０…透孔、  ５２…シール、  ５４…凹凸部、  ５４ａ…リブ
【図１】
2006331545.tif 000003
【図２】
2006331545.tif 000004
【図３】
2006331545.tif 000005
【図４】
2006331545.tif 000006
【図５】
2006331545.tif 000007
【図６】
2006331545.tif 000008
【図７】
2006331545.tif 000009